(57)【要約】【課題】車両用後側方視認装置を適当な大きさに設定することを可能にするとともに、乗員にミラー角度を容易に知らせることを可能にする。【解決手段】ミラーハウジング３２に対してミラー３３を回動可能に取付けるとともに、角度調整可能に取付けた車両用後側方視認装置３０において、ミラー３３は、乗員にミラーの角度を知らせるために、ミラー３３の角度により表示が変化するミラー角度提示手段３４を備え、ミラー角度提示手段３４は、ミラー３３が表示しているエリアを表示するエリア表示手段３６を有する。【選択図】図２
2008238891.tif 000002
【特許請求の範囲】
【請求項１】
ミラーハウジングに対してミラーを回動可能に取付けるとともに、角度調整可能に取付けた車両用後側方視認装置において、
前記ミラーは、乗員にミラーの角度を知らせるために、ミラーの角度により表示が変化するミラー角度提示手段を備えたことを特徴とする車両用後側方視認装置。
【請求項２】
前記ミラー角度提示手段は、前記ミラーの角度を提示する目盛り表示手段を有することを特徴とする請求項１記載の車両用後側方視認装置。
【請求項３】
前記目盛り部は、前記ミラーの周縁に沿わせて設けられていることを特徴とする請求項２記載の車両用後側方視認装置。
【請求項４】
前記ミラー角度提示手段は、前記ミラーが表示しているエリアを表示するエリア表示手段を有することを特徴とする請求項１記載の車両用後側方視認装置。
【請求項５】
前記エリア表示手段は、前記ミラーの車両外方上部に設けられることを特徴とする請求項４記載の車両用後側方視認装置。
【請求項６】
前記ミラー角度提示手段は、前記ミラーの角度を提示する目盛り表示手段と、前記ミラーが表示するエリアを表示するエリア表示手段とを有することを特徴とする請求項１記載の車両用後側方視認装置。
【請求項７】
前記目盛り表示手段は、前記ミラーの車両内方及び下方の周縁に沿わせて設けられ、前記エリア表示手段は、前記ミラーの車両外方上部に設けられることを特徴とする請求項６記載の車両用後側方視認装置。
【発明の詳細な説明】
【技術分野】
【０００１】
本発明は、車両用後側方を映し出すサイドミラーに、車体に対するサイドミラーの角度を認知することができる表示を備えた車両用後側方視認装置に関するものである。
【背景技術】
【０００２】
車両用後側方視認装置の中には、手動でミラーの角度調整をするものや電動でミラーの角度調整するものが実用に供されている。この種の車両用後側方視認装置は、乗員が任意の角度にミラーを調整することができるようにしたものであった。
近年、乗員にミラーの角度を知らせるために、車両用後側方視認装置にミラーの角度を表示する試みがなされている。
【０００３】
このような車両用後側方視認装置として、ミラーハウジングに配置された目盛りにより、ミラーの左右方向の角度変化を認知可能とした構造が知られている（例えば、特許文献１参照。）。
【特許文献１】特表２００４−５２９０３３公報（第３１頁、第７図）
【０００４】
特許文献１の技術を説明する。
図９は従来の車両用後側方視認装置の基本構成を説明する図である。
従来の車両用後側方視認装置２００は、車体に取付けたミラーハウジング２０１と、このミラーハウジング２０１に、回動可能に且つ角度調整可能に取付けたミラー２０３とからなり、ミラーハウジング２０１の側壁２０４は、ミラー２０３の角度を認知することができる目盛り２０５が形成されたものである。
【０００５】
しかし、車両用後側方視認装置２００では、ミラーハウジング２０１の側壁２０４に目盛り２０５を記載するためのスペースを設けると、ミラーハウジング２０１を大きくしなければならなかった。従って、車両用後側方視認装置２００が肥大化する。
また、車両用後側方視認装置２００では、ミラーハウジング２０１の側壁２０４に目盛り２０５を記載しているので、ミラー２０３の角度の認識が困難であった。
【発明の開示】
【発明が解決しようとする課題】
【０００６】
本発明は、車両用後側方視認装置を適当な大きさに設定することができ、乗員にミラーの角度を容易に知らせることができる車両用後側方視認装置を提供することを課題とする。
【課題を解決するための手段】
【０００７】
請求項１に係る発明は、ミラーハウジングに対してミラーを回動可能に取付けるとともに、角度調整可能に取付けた車両用後側方視認装置において、ミラーは、乗員にミラーの角度を知らせるために、ミラーの角度により表示が変化するミラー角度提示手段を備えたことを特徴とする。
【０００８】
請求項２に係る発明は、ミラー角度提示手段が、ミラーの角度を提示する目盛り表示手段を有することを特徴とする。
【０００９】
請求項３に係る発明は、目盛り部が、ミラーの周縁に沿わせて設けられていることを特徴とする。
【００１０】
請求項４に係る発明は、ミラー角度提示手段が、ミラーが表示しているエリアを表示するエリア表示手段を有することを特徴とする。
【００１１】
請求項５に係る発明は、エリア表示手段は、ミラーの車両外方上部に設けられることを特徴とする。
【００１２】
請求項６に係る発明は、ミラー角度提示手段が、ミラーの角度を提示する目盛り表示手段と、ミラーが表示するエリアを表示するエリア表示手段とを有することを特徴とする。
【００１３】
請求項７に係る発明は、目盛り表示手段が、ミラーの車両内方及び下方の周縁に沿わせて設けられ、エリア表示手段が、ミラーの車両外方上部に設けられることを特徴とする。
【発明の効果】
【００１４】
請求項１に係る発明では、ミラーハウジングに対してミラーを回動可能に取付けるとともに、角度調整可能に取付ける。さらに、ミラーに、ミラーの角度により表示が変化するミラー角度提示手段を備える。これにより、乗員は、ミラーの角度を表示の変化で認知することができる。
すなわち、ミラーに、ミラーの角度により表示が変化するミラー角度提示手段を備えることで、ミラーハウジングを大きく設定する必要はない。これにより、ミラーハウジングの肥大化を防止することができる。また、ミラー角度提示手段は表示の変化で乗員にミラーの角度を知らせるものなので、乗員にミラー角度を容易に認知させることができる。
【００１５】
請求項２に係る発明では、ミラー角度提示手段が、ミラーの角度を提示する目盛り表示手段を有する。これにより、ミラーのみを見ながらミラーの角度を調整することができる。この結果、ミラーの角度を容易に微調整することができる。
【００１６】
請求項３に係る発明では、目盛り部が、ミラーの周縁に沿わせて設けられている。従って、ミラーによる通常視界の視認を妨げることがない。すなわち、良好な後側方視界を確保することができる。
【００１７】
請求項４に係る発明では、ミラー角度提示手段が、ミラーが表示しているエリアを表示するエリア表示手段を有する。これにより、乗員に後側方視界の範囲を感覚的に知らせることができる。この結果、乗員に後側方視界を認知しやすくすることができる。
【００１８】
請求項５に係る発明では、エリア表示手段は、ミラーの車両外方上部に設けられる。これにより、ミラーによる通常視界の視認を妨げることがない。すなわち、良好な後側方視界を確保することができる。
【００１９】
請求項６に係る発明では、ミラー角度提示手段が、ミラーの角度を提示する目盛り表示手段と、ミラーが表示するエリアを表示するエリア表示手段とを有する。これにより、ミラーの角度を容易に微調整することができるとともに、乗員に後側方視界の範囲を感覚的に知らせることができ、乗員に後側方視界を認知しやすくすることができる。
【００２０】
請求項７に係る発明では、目盛り表示手段が、ミラーの車両内方及び下方の周縁に沿わせて設けられ、エリア表示手段が、ミラーの車両外方上部に設けられたので、目盛り表示手段とエリア表示手段とが干渉することないとともに、ミラーから得られる後側方視界の視認の妨げにもならない。
【発明を実施するための最良の形態】
【００２１】
本発明を実施するための最良の形態を添付図に基づいて以下に説明する。なお、図面は符号の向きに見るものとする。
図１は本発明に係る車両用後側方視認装置を採用した車両の車室側から見た斜視図である。
図１に示されている車両１０は、車体１１の操舵をするステアリング１４と、車室１２の前方を透過可能に覆うウインドシールド（フロントウインドウ）１６と、車室１２の上部を覆うルーフ１７と、車室１２の前方に配置するインストルメントパネル２１と、車室１２の左右側面を覆う左右の車両用ドア２５，２６と、乗員（運転者）が車両１０の後側方を視認できる左右の車両用ドアミラー（車両用後側方視認装置）２９，３０と、を備えている。
左右の車両用ドアミラー２９，３０は車体中心に関して対称形状であり、以下、右の車両用ドアミラー３０を「車両用後側方視認装置３０」と記載する。
【００２２】
図２は図１に示された右側の車両用後側方視認装置の正面図である。
車両用後側方視認装置３０は、車両用ドア２６（図１参照）に取付けられたミラーステー３１と、このミラーステー３１に略水平回転自在に取付けられ、車両用ドア２６に向けて収納可能なミラーハウジング３２と、このミラーハウジング３２に水平方向及び垂直方向に揺動可能に取付けられたミラー（ミラー本体）３３と、このミラー３３の外方上部コーナ（車両外方上部）３３ａに設けられ、ミラー３３の角度により表示が変化するミラー角度提示手段３４とからなる。
ミラー角度提示手段３４は、ミラー３３が表示しているエリアを表示するエリア表示手段３６を有する。
【００２３】
図３（ａ）〜（ｃ）は図１に示された車両用後側方視認装置のミラー角度提示手段の変化の一例を示す説明図である。
（ａ）において、平面視でミラー３３と車両用ドア２６（図１参照）とのなす角度を小さく設定したときのミラー角度提示手段３４の第１表示例３７を示し、エリア表示手段３６は、乗員（運転者）が車両用ドア２６の側面を基準面とするときに、略０°から略１５°の範囲を視認可能であることを表示している。
【００２４】
（ｂ）において、平面視でミラー３３と車両用ドア２６（図１参照）とのなす角度を中程度に設定したときのミラー角度提示手段３４の第２表示例３８を示し、エリア表示手段３６は、乗員（運転者）が車両用ドア２６の側面を基準面とするときに、略３０°から略４５°の範囲を視認可能であることを表示している。
【００２５】
（ｃ）において、平面視でミラー３３と車両用ドア２６（図１参照）とのなす角度を大きく設定したときのミラー角度提示手段３４の第３表示例３９を示し、エリア表示手段３６は、乗員（運転者）が車両用ドア２６の側面を基準面とするときに、略４５°から略６０°の範囲を視認可能であることを表示している。
【００２６】
すなわち、ミラー３３に、ミラー３３の角度により表示が変化するミラー角度提示手段３４を備えることで、ミラーハウジング３２を大きく設定する必要はない。これにより、ミラーハウジング３２の肥大化を防止することができる。また、ミラー角度提示手段３４は表示の変化で乗員にミラー３３の角度を知らせるものなので、乗員にミラー角度を容易に認知させることができる。
【００２７】
ミラー角度提示手段３４は、ミラー３３が表示しているエリアを表示するエリア表示手段３６を有するので、乗員に後側方視界の範囲を感覚的に知らせることができる。この結果、乗員に後側方視界を認知しやすくすることができる。
【００２８】
エリア表示手段３６は、ミラー３３の車両外方上部３３ａに設けられているので、ミラー３３による通常視界の視認を妨げることがない。すなわち、良好な後側方視界を確保することができる。
【００２９】
図４は図３に示されたミラー角度提示手段の原理説明図である。
ミラー角度提示手段３４は、ミラー３３（図２参照）に取付ける基部４１と、この基部４１に設けられ、所定の表示のための表示部４２と、この表示部４２に被せられ、屈折作用（偏向作用）で表示部４２に描いた表示を選択的に視認可能な波形のレンズ４３とからなる。
【００３０】
表示部４２は、所定の文字、所定の色、所定形状の図柄若しくは明暗の変化像などのパターンを複数種類且つ複数個表示したものであり、第１パターン４５ａ〜４５ｈから第３パターン４７ａ〜４７ｈまでを表示したものである。
波形のレンズ４３は、図３に示された第１〜第３表示例３７〜３９を選択的に視認するための偏向手段である。
【００３１】
この結果、ミラー３３（図２参照）の角度を小さく設定したときは、波形のレンズ４３の屈折作用で第１のパターン４５ａ〜４５ｈの集合体４５が認識され、一つの文字、一つの色、一つの図柄若しくは一つの明暗の変化像などに認識することができる。同様に、ミラー３３の角度を中程度に設定したときは、波形のレンズ４３の屈折作用で第２のパターン４６ａ〜４６ｈの集合体４６が認識され、ミラー３３の角度を大きく設定したときは、波形のレンズ４３の屈折作用で第３のパターン４７ａ〜４７ｈの集合体４７が認識される。
【００３２】
すなわち、これらの集合体４５〜４７が、所定の表示として視認できる。第１〜第３表示例３７〜３９は、偏光手段（波形のレンズ）４３により視認可能に構成したものと言える。これにより、第１〜第３表示例３７〜３９を有するミラー角度提示手段３４を安価に簡便に実現することができる。
【００３３】
図５は本発明に係る第２実施例の右の車両用後側方視認装置の正面図である。
車両用後側方視認装置６０は、車両用ドア２６（図１参照）に取付けられたミラーステー６１と、このミラーステー６１に略水平回転自在に取付けられ、車両用ドア２６に向けて収納可能なミラーハウジング６２と、このミラーハウジング６２に水平方向及び垂直方向に揺動可能に取付けられたミラー（ミラー本体）６３と、このミラー６３の周縁６３ａに沿わせて設けられ、ミラー６３の角度により表示が変化するミラー角度提示手段６４とからなる。
【００３４】
ミラー角度提示手段６４は、ミラー６３の下縁に沿わせて設けられた横の目盛り表示手段６６と、ミラー６３の車両寄りの周縁に設けられた縦の目盛り表示手段とを備える。
横の目盛り表示手段６６は、ミラー６３に固定表示した目盛り部７１と、ミラー６３の角度により移動する表示手段７２とから構成される。同様に、縦の目盛り表示手段は、ミラー６３に固定表示した目盛り部７３と、ミラー６３の角度により移動する表示手段７４とから構成される。
【００３５】
車両用後側方視認装置で６０は、ミラー角度提示手段６４に、ミラー６３の角度を提示する目盛り表示手段６６，６７を有する。これにより、ミラー６３のみを見ながらミラー６３の角度を調整することができる。この結果、ミラー６３の角度を容易に微調整することができる。
【００３６】
車両用後側方視認装置６０では、目盛り表示手段６６，が、ミラー６３の周縁６３ａに沿わせて設けられている。従って、ミラー６３による通常視界の視認を妨げることがない。すなわち、良好な後側方視界を確保することができる。
【００３７】
図６（ａ），（ｂ）は図５に示されたミラー角度提示手段の左右方向変化を示す説明図である。
（ａ）において、所定の角度にミラー６３を設定し、この状態からミラー６３を車両用ドア側に略水平回転させ、（ｂ）に示す角度にミラー６３を設定する。このときに、横の目盛り表示手段６６における表示手段７２は、矢印ａ１で示されるように、目盛り部７１の左から３番目の目盛り位置７１ａから、左から２番目の目盛り位置７１ｂに移動する。これにより、ミラー６３が略水平方向に関してミラー６３の角度を変化させたことが認識できる。
【００３８】
図７（ａ），（ｂ）は図５に示されたミラー角度提示手段の上下方向変化を示す説明図である。
（ａ）において、所定の角度にミラー６３を設定し、この状態からミラー６３を下方に回転させ、（ｂ）に示す角度にミラー６３を設定する。このときに、縦の目盛り表示手段６７における表示手段７４は、矢印ａ２，ａ３で示されるように、目盛り部７３の上から３番目の目盛り位置７３ａから、上から５番目の目盛り位置７３ｂに移動する。これにより、ミラー６３が略水平軸に関してミラー６３の角度を下向きに変化させたことが認識できる。
【００３９】
図８は図５に示された第２実施例のミラー角度提示手段の原理説明図である。
ミラー角度提示手段６４における縦の目盛り表示手段６７の表示手段７４は、ミラー６３（図５参照）に取付ける基部８１と、この基部８１に設けられ、所定の表示のための表示部８２と、この表示部８２に被せられ、屈折作用（偏向作用）で表示部８２に描いた表示を選択的に視認可能な波形のレンズ８３とからなる。
【００４０】
すなわち、表示手段７４は、波形のレンズ８３の屈折作用（偏向作用）で、ミラーを所定の角度に傾けたときに、所定の目盛りのみを視認できるようにしたものであり、例えば、ミラー６３を所定の角度に傾けたときに現れる表示手段７４の一番下の目盛り７４ａは、表示部８２の一番下の表示８２ａのみが波形のレンズ８３の屈折作用で、視認できるという原理を用いたものである。
なお、横の目盛り表示手段６６の表示手段７２は、縦の目盛り表示手段６７の表示手段７４に同一原理である。
【００４１】
尚、車両用後側方視認装置３０では、図２に示すように、ミラー角度提示手段３４に、ミラー３３が表示しているエリアを表示するエリア表示手段３６を備え、車両用後側方視認装置６０では、図５に示すように、ミラー角度提示手段６４に、ミラー６３の角度を提示する目盛り表示手段６６，６７を備えたが、ミラーに、目盛り表示手段とエリア表示手段との双方を設けたものであってもよい。
【００４２】
すなわち、ミラー角度提示手段が、ミラーの角度を提示する目盛り表示手段と、ミラーが表示するエリアを表示するエリア表示手段とを有することで、ミラーの角度を容易に微調整することができるとともに、乗員に後側方視界の範囲を感覚的に知らせることができ、乗員に後側方視界を認知しやすくすることができる。
【００４３】
また、目盛り表示手段が、ミラーの車両内方及び下方の周縁に沿わせて設けられ、エリア表示手段が、ミラーの車両外方上部に設けられたので、目盛り表示手段とエリア表示手段とが干渉することないとともに、ミラーから得られる後側方視界の視認の妨げにもならない。
【産業上の利用可能性】
【００４４】
本発明に係る車両用後側方視認装置は、セダンやワゴンなどの乗用車に採用するのに好適である。
【図面の簡単な説明】
【００４５】
【図１】本発明に係る車両用後側方視認装置を採用した車両の車室側から見た斜視図である。
【図２】図１に示された右側の車両用後側方視認装置の正面図である。
【図３】図１に示された車両用後側方視認装置のミラー角度提示手段の変化の一例を示す説明図である。
【図４】図３に示されたミラー角度提示手段の原理説明図である。
【図５】本発明に係る第２実施例の右の車両用後側方視認装置の正面図である。
【図６】図５に示されたミラー角度提示手段の左右方向変化を示す説明図である。
【図７】図５に示されたミラー角度提示手段の上下方向変化を示す説明図である。
【図８】図５に示された第２実施例のミラー角度提示手段の原理説明図である。
【図９】従来の車両用後側方視認装置の基本構成を説明する図である。
【符号の説明】
【００４６】
１０…車両、３０，６０…車両用後側方視認装置、３２，６２…ミラーハウジング、３３，６３…ミラー、３４，６４…ミラー角度提示手段、３６…エリア表示手段、６６，６７…目盛り表示手段。
【図１】
2008238891.tif 000003
【図２】
2008238891.tif 000004
【図３】
2008238891.tif 000005
【図４】
2008238891.tif 000006
【図５】
2008238891.tif 000007
【図６】
2008238891.tif 000008
【図７】
2008238891.tif 000009
【図８】
2008238891.tif 000010
【図９】
2008238891.tif 000011